(57)【要約】  一実施例に係る無人顔面および手の甲の肌分析装置は、タッチスクリーンを含むキオスクと、前記キオスクに位置し、使用者の手を投入するための開口部と、前記キオスクの上端に位置し、前記使用者の顔面を照らすための第１照明モジュールおよび前記使用者の顔面を撮影するための第１カメラモジュールを含む第１肌測定モジュールと、前記開口部に位置し、前記使用者の手を照らすための第２照明モジュールおよび前記使用者の手を撮影するための第２カメラモジュールを含む第２肌測定モジュールと、前記第１肌測定モジュールから撮影された第１映像イメージおよび前記第２肌測定モジュールから撮影された第２映像イメージのうち少なくとも一つに基づいて前記使用者の肌診断結課を演算する制御モジュールとを含む無人顔面および手の甲の肌分析装置を提示する。【選択図】図１
2021524367.tif 000002
【特許請求の範囲】
【請求項１】
無人顔面および手の甲の肌分析装置であって、
タッチスクリーンを含むキオスクと、
前記キオスクに位置し、使用者の手を投入するための開口部と、
前記キオスクの上端に位置し、前記使用者の顔面を照らすための第１照明モジュールおよび前記使用者の顔面を撮影するための第１カメラモジュールを含む第１肌測定モジュールと、
前記開口部に左右対称の形態で位置し、前記使用者の手の甲または手の平を照らすための第２照明モジュールと、
前記使用者の手を撮影するための第２カメラモジュールを含む第２肌測定モジュールと、
前記第１肌測定モジュールから撮影された第１映像イメージおよび前記第２肌測定モジュールから撮影された第２映像イメージのうち少なくとも一つに基づいて前記使用者の肌診断結課を演算する制御モジュールと、
前記第１映像イメージおよび前記第２映像イメージのうち少なくとも一つ、前記制御モジュールの演算結果、および前記肌診断結課を保存する保存モジュールと、
前記キオスクに位置し、前記制御モジュールの演算結果および前記肌診断結課を印刷するプリントモジュールと、
前記肌診断結課を有／無線ネットワークを通じてモバイル端末、Ｅメール、ＳＭＳ、およびＳＮＳのうち少なくとも一つに伝送する通信モジュールと、
を含み、
前記第１照明モジュールおよび前記第２照明モジュールそれぞれはＬＥＤモジュールであって、一般光モジュール、偏光モジュール、およびＵＶ光モジュールを含み、前記タッチスクリーンの上端または下端に位置し、前記使用者の頸部を照らすための第３照明モジュールおよび前記タッチスクリーンの上端または下端に位置し、前記使用者の頸部を撮影するための第３カメラモジュールを含む第３肌測定モジュールをさらに含み、
前記タッチスクリーンはタッチ入力によって前記無人顔面および手の甲の肌分析装置を作動させ、
前記制御モジュールは前記使用者の肌状態と関連した少なくとも一つの肌指数を測定し、前記第３肌測定モジュールから撮影された第３映像イメージに基づいて前記使用者の首のしわ指数を測定し、前記首のしわ指数に基づいた前記使用者の肌年齢を測定し、前記測定された少なくとも一つの肌指数および前記測定された肌年齢を分析して肌診断結課を導き出し、
前記肌指数は毛穴、弾力、油水分量、および油水分バランス度を含み、
前記肌診断結果は肌総合健康度、集中管理が必要な項目、肌年齢、肌の明るさ、および推薦化粧品情報を含む、無人顔面および手の甲の肌分析装置。
【請求項２】
前記肌診断結果は前記使用者に付与される固有のＩＤおよびパスワードをさらに含み、
前記ＩＤおよび前記パスワードが付与された前記使用者の肌診断が開始される前に前記タッチスクリーンのタッチ入力を通じて前記ＩＤおよび前記パスワードが入力され、
前記制御モジュールは前記ＩＤおよび前記パスワードに該当する少なくとも一つの既存の肌診断結果と前記使用者の新しく獲得された前記肌診断結課を比較する、請求項１に記載の無人顔面および手の甲の肌分析装置。
【請求項３】
前記通信モジュールは無線ネットワークを通じて少なくとも一つの無人顔面および手の甲の肌分析装置を同期化し、
前記制御モジュールは同期化された少なくとも一つの前記無人顔面および手の甲の肌分析装置から前記ＩＤおよび前記パスワードに該当する少なくとも一つの前記既存の肌診断結課を収集し、前記使用者の新しく獲得された前記肌診断結果と収集された前記肌診断結課を比較する、請求項２に記載の無人顔面および手の甲の肌分析装置。
【請求項４】
化粧品サンプルを提供するサンプル提供モジュールをさらに含み、
前記サンプル提供モジュールは前記推薦化粧品情報に含まれた少なくとも一つの化粧品を含み、前記推薦化粧品情報によるサンプルを前記キオスクから出す、請求項１に記載の無人顔面および手の甲の肌分析装置。
【発明の詳細な説明】
【技術分野】
【０００１】
本発明は肌診断装置に関し、さらに詳しくはキオスクを利用したビューティー（美容）用無人顔面および手の甲の肌分析装置に関する。
【背景技術】
【０００２】
従来には世界の各国でビューティーに関する関心が高く、肌状態に対する診断を受けて診断結果による肌管理方法に対する関心が増加している。
【０００３】
これに伴い、従来の顔面肌診断機はビューティー、すなわち化粧品カウンセリング用として使われて全世界的な流行を呼びおこしてきた。しかし、従来の顔面肌診断機は使用者が肌診断を進行する時、装置を操作するために専門家または相談者の助けが必要であり、専門家または相談者が分析結果を見せながら使用者に１：１に説明をしなければならない不便な点があった。
【発明の概要】
【発明が解決しようとする課題】
【０００４】
本発明は、キオスクを利用して一人で顔面および手を撮影して、顔面と手の肌状態の測定および肌の診断まで可能な、ビューティー用無人顔面および手の甲の肌分析装置を具現するためのものである。さらに詳しくは、人々が多く集まったところで待機する時、待機時間の間簡単に使用者が肌の状態を診断し、測定された診断結果データを無人顔面および手の甲の肌分析装置ですぐに出力して提供してもらうか使用者モバイルに送るためのものである。
【課題を解決するための手段】
【０００５】
一実施例に係る無人顔面および手の甲の肌分析装置は、タッチスクリーンを含むキオスクと、前記キオスクに位置し、使用者の手を投入するための開口部と、前記キオスクの上端に位置し、前記使用者の顔面を照らすための第１照明モジュールおよび前記使用者の顔面を撮影するための第１カメラモジュールを含む第１肌測定モジュールと、前記開口部に位置し、前記使用者の手を照らすための第２照明モジュールおよび前記使用者の手を撮影するための第２カメラモジュールを含む第２肌測定モジュールと、前記第１肌測定モジュールから撮影された第１映像イメージおよび前記第２肌測定モジュールから撮影された第２映像イメージのうち少なくとも一つに基づいて前記使用者の肌診断結課を演算する制御モジュールと、前記第１映像イメージおよび前記第２映像イメージのうち少なくとも一つ、前記制御モジュールの演算結果、および前記肌診断結課を保存する保存モジュールと、前記キオスクに位置し、前記制御モジュールの演算結果および前記肌診断結課を印刷するプリントモジュールと、前記肌診断結課を有／無線ネットワークを通じてモバイル端末、Ｅメール、ＳＭＳ、およびＳＮＳのうち少なくとも一つに伝送する通信モジュールをさらに含み、前記タッチスクリーンはタッチ入力によって前記無人顔面および手の甲の肌分析装置を作動させ、前記肌診断結課を表示する。
【０００６】
ここで、前記タッチスクリーンの上端または下端に位置し、前記使用者の頸部を照らすための第３照明モジュールおよび前記タッチスクリーンの上端または下端に位置し、前記使用者の頸部を撮影するための第３カメラモジュールを含む第３肌測定モジュールをさらに含み、前記制御モジュールは前記第３肌測定モジュールから撮影された第３映像イメージに基づいて前記使用者の首のしわ指数を測定し、前記首のしわ指数に基づいた前記使用者の肌年齢を測定し、前記肌診断結果は前記測定された肌年齢を含むことができる。
【０００７】
ここで、前記第１照明モジュールおよび前記第２照明モジュールそれぞれは、ＬＥＤモジュール、一般光モジュール、偏光モジュール、ＵＶ光モジュールのうち少なくとも一つで構成され得る。
【０００８】
ここで、前記制御モジュールは前記使用者の肌状態と関連した少なくとも一つの肌指数を測定し、前記測定された肌指数を分析して肌診断結課を導き出すことができる。
【０００９】
ここで、前記肌指数は毛穴、弾力、油水分量、および油水分バランス度を含み、前記肌診断結果は肌総合健康度、集中管理が必要な項目、肌年齢、肌の明るさ、および推薦化粧品情報のうち少なくとも一つを含むことができる。
【００１０】
ここで、前記肌診断結果は前記使用者に付与される固有のＩＤおよびパスワードをさらに含み、前記ＩＤおよび前記パスワードが付与された前記使用者の肌診断が開始される前に前記タッチスクリーンのタッチ入力を通じて前記ＩＤおよび前記パスワードが入力され、前記制御モジュールは前記ＩＤおよび前記パスワードに該当する少なくとも一つの既存の肌診断結果と前記使用者の新しく獲得された前記肌診断結課を比較することができる。
【００１１】
ここで、前記通信モジュールは無線ネットワークを通じて少なくとも一つの無人顔面および手の甲の肌分析装置を同期化し、前記制御モジュールは同期化された少なくとも一つの前記無人顔面および手の甲の肌分析装置から前記ＩＤおよび前記パスワードに該当する少なくとも一つの前記既存の肌診断結課を収集して、前記使用者の新しく獲得された前記肌診断結果と収集された前記肌診断結課を比較することができる。
【００１２】
ここで、化粧品サンプルを提供するサンプル提供モジュールをさらに含み、前記サンプル提供モジュールは前記推薦化粧品情報に含まれた少なくとも一つの化粧品を含み、前記推薦化粧品情報によるサンプルを前記キオスクから出すことができる。
【発明の効果】
【００１３】
本発明を利用すると、ビューティー業界で日常的な場所だけでなく、人が多く集まって待機する空港の免税店、大学病院、薬局、メガネ店、地下鉄などの場所で、ビューティー用無人顔面および手の甲の肌分析装置を通じて診断結果を提供してもらうことができる。また、本装置を空港の免税店、大学病院、薬局、メガネ店、地下鉄などの場所を問わず、広範囲に設置して肌診断インフラを構築することによって、これを利用して肌診断結課を提供し、肌診断結果に合う化粧品を推薦することができる。
【図面の簡単な説明】
【００１４】
【図１】一実施例に係る無人顔面および手の甲の肌分析装置を例示した図面である。
【００１５】
【図２】一実施例に係る無人顔面および手の甲の肌分析装置と使用者を例示した図面である。
【００１６】
【図３】一実施例に係る無人顔面および手の甲の肌分析装置の構成を例示した図面である。
【００１７】
【図４】他の実施例により第３肌測定モジュールを含む無人顔面および手の甲の肌分析装置の外部を図示した図面である。
【００１８】
【図５】他の実施例により第３肌測定モジュールを含む無人顔面および手の甲の肌分析装置の構成を例示した図面である。
【発明を実施するための形態】
【００１９】
本発明は多様な変更を加えることができ、多様な実施例を有することができるところ、特定の実施例を図面に例示して詳細な説明に詳細に説明する。しかし、これは本発明を特定の実施形態に対して限定しようとするものではなく、本発明の思想および技術範囲に含まれるすべての変更、均等物乃至代替物を含むものと理解されるべきである。
【００２０】
第１、第２等の用語は多様な構成要素の説明に使われ得るが、構成要素は用語によって限定されてはならない。用語は一つの構成要素を他の構成要素から区別する目的でのみ使われる。
【００２１】
本出願で使った用語は単に特定の実施例を説明するために使われたものであって、本発明を限定しようとする意図ではない。単数の表現は文脈上明白に異なって意味しない限り、複数の表現を含む。本出願で、「含む」または「有する」等の用語は明細書上に記載された特徴、数字、段階、動作、構成要素、部品またはこれらを組み合わせたものが存在することを指定しようとするものであって、一つまたはそれ以上の他の特徴や数字、段階、動作、構成要素、部品またはこれらを組み合わせたものなどの存在または付加の可能性をあらかじめ排除しないものと理解されるべきである。
【００２２】
以下、多様な実施例は添付図面を参照して詳細に説明することにし、添付図面を参照して説明するにおいて、同一または対応する構成要素は同一の図面番号または図面符号を付与し、これに対する重複する説明は省略することにする。
【００２３】
本明細書で、無人顔面および手の甲の肌分析装置１の前面部とは無人顔面および手の甲の肌分析装置１でタッチスクリーン１５０、第１カメラモジュール１３１、および開口部１２０が位置する部分を意味し得、無人顔面および手の甲の肌分析装置１の後面部とは無人顔面および手の甲の肌分析装置１の前面部の反対面であり得る。また、無人顔面および手の甲の肌分析装置１の側面とは、無人顔面および手の甲の肌分析装置１の前面部と後面部の間の面であって、地面と接触している横面であり得る。
【００２４】
一実施例に係る無人顔面および手の甲の肌分析装置１は、専門家が助けることなく使用者Ｕが一人で顔面を撮影して肌診断ができる装置であり得る。
【００２５】
本明細書で、無人顔面および手の甲の肌分析装置１は主に使用者Ｕの顔面および手の肌状態を測定し診断するものとして例示したが、無人顔面および手の甲の肌分析装置１を通じて肌状態が測定され診断され得る部位はこれに制限されるものではない。
【００２６】
図１は一実施例に係る無人顔面および手の甲の肌分析装置１を例示した図面であり、図２は一実施例に係る無人顔面および手の甲の肌分析装置１と使用者Ｕを例示した図面である。
【００２７】
図１および図２を参照すると、一実施例に係る無人顔面および手の甲の肌分析装置１は、キオスク１１０形態のハウジングを有し、タッチスクリーン１５０、開口部１２０、第１照明モジュール１３３と第１カメラモジュール１３１を含んだ第１肌測定モジュール１３０、第２照明モジュール１４３と第２カメラモジュール１４１を含んだ第２肌測定モジュール１４０、およびプリントモジュール３３０を含むことができる。
【００２８】
タッチスクリーン１５０はキオスク１１０の前面部の上端に含まれて位置し得、無人顔面および手の甲の肌分析装置１を作動させ肌診断の進行状態を画面に示す装置であり得る。タッチスクリーン１５０はタッチ方式により、抵抗膜方式、静電容量方式、赤外線方式、および超音波方式のうち一つの方式を使用することができ、タッチスクリーン１５０はキオスク、ナビゲーション、携帯電話、ＡＴＭ、およびゲーム機器に使われるものであり得る。ここで、タッチスクリーン１５０は無人顔面および手の甲の肌分析装置１を作動させる入力装置および出力装置のうち少なくとも一つであり得る。例えば、画面をタッチすることによって入力装置として使われ得、画面に映像イメージを出力することによって出力装置として使われ得る。ただし、一実施例に係る無人顔面および手の甲の肌分析装置１は入力装置と出力装置を入力機能と出力機能をすべて含んだタッチスクリーン１５０に限定せず、入力装置としてマウスやキーパッドが使われ、出力装置としてモニターが使われることによって、入力装置と出力装置は分離され得る。この時、入力装置はマウスやキーパッドの他に信号を入力することができ、無人顔面および手の甲の肌分析装置１を動作させることができる装置に代替され得る。また、出力装置に使われるモニターパネルは一つの種類に限定されず、ＴＮ、ＶＡ、ＩＰＳ、およびＯＬＥＤのうち一つであり得、モニターの大きさは無人顔面および手の甲の肌分析装置１に含まれる大きさであり得る。
【００２９】
開口部１２０は、使用者Ｕが手を撮影して手の肌状態を診断するために手を入れるところであり得る。図１に図示された通り、無人顔面および手の甲の肌分析装置１の開口部１２０はキオスク１１０の前面部の中間に含まれており、二つであり得る。この時、両側の開口部１２０の内側に位置したそれぞれの第２肌測定モジュール１４０はその構成と位置および数量が同じでもよい。ただし、開口部１２０の個数は図１の例示に限定されず、無人顔面および手の甲の肌分析装置１は一つ以上の開口部１２０を有することができる。例えば、開口部１２０が一つである場合、使用者Ｕは左手と右手を一つの開口部１２０で交互に撮影することによって、一つの開口部１２０で両手をすべて撮影するか、左手と右手を一つの開口部１２０で同時に撮影することによって、一つの開口部１２０で両手をすべて撮影することができる。また、開口部１２０の位置は図１に図示された通り、キオスク１１０の前面部の中間に限定されず、キオスク１１０で使用者Ｕが手を入れることができるすべての位置であり得る。
【００３０】
第１肌測定モジュール１３０は使用者Ｕの顔面に光を照射する第１照明モジュール１３３および使用者Ｕの顔面を撮影する第１カメラモジュール１３１のうち少なくとも一つを含むことができる。本明細書で、第１肌測定モジュール１３０は主に使用者Ｕの顔面の肌状態を測定するものとして例示したが、第１肌測定モジュール１３０を通じて使用者Ｕの顔面、首、耳、および首の後ろのうち少なくとも一つを含んだ身体部位の肌状態を測定することができる。
【００３１】
第１カメラモジュール１３１はキオスク１１０の前面部の最上端に位置し得、使用者Ｕの顔面、首、耳、および首の後ろのうち少なくとも一つを含んだ身体部位を撮影することができる。ここで、第１カメラモジュール１３１に含まれたカメラは、業界で通用される撮影装置、ビデオカメラ、およびＤＳＬＲ（Ｄｉｇｉｔａｌ  Ｓｉｎｇｌｅ  Ｌｅｎｓ  Ｒｅｆｌｅｘ）のうち一つであり得るが、前記言及された例示に限定されず通常的に映像を撮影できる機器であればよい。
【００３２】
第１照明モジュール１３３は第１カメラモジュール１３１に含まれたカメラの周りに左右対称の形態で位置し得、使用者Ｕの顔面、首、耳、および首の後ろのうち少なくとも一つを含んだ身体部位に光を照射することができる。ここで、第１照明モジュール１３３はＬＥＤモジュールであり得、第１照明モジュール１３３は一般光、偏光、およびＵＶ光のうち少なくとも一つの光を順次照射することができる。
【００３３】
第１カメラモジュール１３１および第１照明モジュール１３３のうち少なくとも一つは、使用者Ｕの顔面、首、耳、および首の後ろのうち少なくとも一つを含んだ身体部位を認識した方向に回転して焦点を合わせることによって、第１肌測定モジュール１３０は使用者Ｕの顔面、首、耳、および首の後ろのうち少なくとも一つを含んだ身体部位を撮影した第１映像イメージを獲得することができる。
【００３４】
第２肌測定モジュール１４０は、使用者Ｕの手に光を照射する第２照明モジュール１４３および使用者Ｕの手を撮影する第２カメラモジュール１４１のうち少なくとも一つを含むことができる。ただし、第２肌測定モジュール１４０は主に使用者Ｕの手の甲の肌状態を測定するものとして例示したが、第２肌測定モジュール１４０を通じて使用者Ｕの左側の手の甲、左側の手の平、右側の手の甲、および右側の手の平のうち少なくとも一つを含む手の肌状態を測定することができる。
【００３５】
第２カメラモジュール１４１は開口部１２０の天井面に位置し得、使用者Ｕの左側の手の甲、左側の手の平、右側の手の甲、および右側の手の平のうち少なくとも一つを撮影することができる。ここで、第２カメラモジュール１４１に含まれたカメラは業界で通用される撮影装置、ビデオカメラ、およびＤＳＬＲ（Ｄｉｇｉｔａｌ  Ｓｉｎｇｌｅ  Ｌｅｎｓ  Ｒｅｆｌｅｘ）のうち一つであり得るが、前記言及された例示に限定されず通常的に映像を撮影できる機器であればよい。
【００３６】
第２照明モジュール１４３は第２カメラモジュール１４１に含まれたカメラの周りに左右対称の形態で位置し得、使用者Ｕの左側の手の甲、左側の手の平、右側の手の甲、および右側の手の平のうち少なくとも一つに光を照射することができる。ここで、第２照明モジュール１４３はＬＥＤモジュールであり得、第２照明モジュール１４３は一般光、偏光、およびＵＶ光のうち少なくとも一つの光を順次照射することができる。
【００３７】
第２カメラモジュール１４１および第２照明モジュール１４３のうち少なくとも一つは、使用者Ｕの左側の手の甲、左側の手の平、右側の手の甲、および右側の手の平のうち少なくとも一つを認識した方向に回転して焦点を合わせることによって、第２肌測定モジュール１４０は使用者Ｕの左側の手の甲、左側の手の平、右側の手の甲、および右側の手の平のうち少なくとも一つを撮影した第２映像イメージを獲得することができる。
【００３８】
プリントモジュール３３０は、無人顔面および手の甲の肌分析装置１を通じて獲得した肌診断結課を印刷して使用者Ｕに提供することができる。プリントモジュール３３０は無人顔面および手の甲の肌分析装置１の内部に位置し得、肌診断結果が印刷されるプリント出力部３３１は無人顔面および手の甲の肌分析装置１の前面部に位置し得る。ただし、図１に図示されたプリントモジュール３３０のプリント出力部３３１は開口部１２０の下に位置しているが、プリント出力部３３１の位置は変更可能であり得る。例えば、プリント出力部３３１の位置は開口部１２０より上に位置してもよく、図１に図示された位置よりさらに下に位置してもよく、無人顔面および手の甲の肌分析装置１の側面に位置してもよい。また、プリントモジュール３３０はキオスク１１０に含まれずに別個の装置で存在し得る。
【００３９】
図１および図２のキオスク１１０は一つのハウジングとして図示されたが、無人顔面および手の甲の肌分析装置１のキオスク１１０は二個以上のハウジングに分離され得る。例えば、キオスク１１の中間部分を境界として上端および下端に分離され得、無人顔面および手の甲の肌分析装置１に含まれる制御モジュール３１０、保存モジュール３５０、および通信モジュール３６０は上端または下端に含まれ得、プリントモジュール３３０はプリント出力部３３１が含まれた下端に含まれ得る。この時、制御モジュール３１０、保存モジュール３５０、通信モジュール３６０、およびプリントモジュール３３０は各モジュールを電子的および機械的に連結する連結線によって連結されていてもよく、コードの形態の連結線を使うことによって各モジュールは分離された状態であり得る。
【００４０】
図３は、一実施例に係る無人顔面および手の甲の肌分析装置１の構成を例示した図面である。
【００４１】
図３を参照すると、一実施例に係る無人顔面および手の甲の肌分析装置１は、タッチスクリーン１５０、第１カメラモジュール１３１と第１照明モジュール１３３を含んだ第１肌測定モジュール１３０、第２カメラモジュール１４１と第２照明モジュール１４３を含んだ第２肌測定モジュール１４０、プリントモジュール３３０、制御モジュール３１０、保存モジュール３５０、および通信モジュール３６０を含むことができる。
【００４２】
制御モジュール３１０は第１肌測定モジュール１３０から撮影された第１映像イメージおよび第２肌測定モジュール１４０から撮影された第２映像イメージのうち少なくとも一つに含まれた肌状態と関連した少なくとも一つの肌指数を測定し、測定された肌指数を分析して肌診断結課を導き出すことができる。
【００４３】
測定される肌指数には、毛穴指数、弾力度、油水分の含量、油水分バランス度、および肌のトーンが含まれ得、肌診断結果には測定された肌指数、肌指数を分析して導き出された肌総合健康度、集中管理が必要な項目、肌年齢、パーソナルカラー、推薦化粧品情報、および肌管理方法が含まれ得る。
【００４４】
例えば、毛穴指数が高く測定され弾力度が低く測定された場合、皮脂の分泌が多い部分と乾燥した部分を分離して管理しなければならず、紫外線の遮断および油水分のバランスを合わせなければならないという肌管理方法が肌診断結果に含まれ得、毛穴指数を下げ弾力度を高める少なくとも一つの化粧品情報が肌診断結果に含まれ得る。
【００４５】
また、肌のトーンに応じて、青白いアイボリー肌、ベージュトーンの肌、または黄色いトーンの肌を有する使用者Ｕは、紫外線遮断指数３０以上の紫外線遮断剤を毎日塗らなければならないという肌管理方法が肌診断結果に含まれ得、タンニングした肌を有する使用者Ｕは紫外線遮断指数１５以上の紫外線遮断剤を毎日塗らなければならないという肌管理方法が肌診断結果に含まれ得、茶色の肌または黒い肌を有する使用者Ｕは紫外線遮断指数１５以上の紫外線遮断剤を外出時に塗らなければならないという肌管理方法が肌診断結果に含まれ得る。
【００４６】
また、測定された肌のトーンに応じて、使用者Ｕの肌のトーンが春ウォームトーン、夏クールトーン、秋ウォームトーン、冬クールトーン、およびニュートラルトーンのうちいずれのトーンであるかが肌診断結果に含まれ得る。ただし、本明細書で例示された肌のトーンの種類は従来のパーソナルカラー診断時に通常的に区分される種類であり得、肌のトーンの種類は例示されたものよりさらに細分化され得る。
【００４７】
また、制御モジュール３１０は第１映像イメージに基づいて、使用者Ｕのほうれい線、まつげの長さ、にきびの個数、シミの広さ、および点の広さのうち少なくとも一つをさらに測定することができる。例えば、制御モジュール３１０はほうれい線の長さおよびにきび個数を測定して第１映像イメージに表示し、シミおよび点の広さを測定して第１映像イメージに表示することによって、ほうれい線、にきび、シミ、および点が表示された肌診断結課を使用者Ｕに提供することができる。また、制御モジュール３１０は使用者Ｕの目を開けた第１映像イメージと目を閉じた第１映像イメージに基づいてまつげの長さを測定することによって、まつげの長さを肌診断結果に提供することができる。
【００４８】
肌診断結果は使用者Ｕの名前、年齢、および携帯電話番号のような個人情報のうち少なくとも一つをさらに含むことができ、使用者Ｕが無人顔面および手の甲の肌分析装置１で肌診断を施行した日付、時間、および前記肌診断を施行した時点と地域の天気情報をさらに含むことができる。例えば、使用者Ｕの名前、年齢、および携帯電話番号のような個人情報は、使用者Ｕが無人顔面および手の甲の肌分析装置１に入力することによって肌診断結果に含まれ得る。また、使用者Ｕが無人顔面および手の甲の肌分析装置１で肌診断を施行した日付、時間、および前記肌診断を施行した時点と地域の天気情報が、無人顔面および手の甲の肌分析装置１が通信モジュール３６０を通じてオンライン上で情報を獲得することによって肌診断結果に含まれ得る。
【００４９】
この時、肌診断結果に含まれた天気情報に基づいて、乾燥したり湿っぽい天気によって影響を受けた肌測定結果が補正され得、乾燥したり湿っぽい天気、紫外線が強い天気、および微細粉塵が多い天気のように、肌に影響を及ぼす天気であるときにどのように肌管理をすべきであるかの肌管理方法が肌診断結果に含まれ得る。
【００５０】
制御モジュール３１０は肌診断結果に推薦化粧品情報を含むことによって、使用者Ｕに推薦化粧品の販売を誘導することができる。例えば、無人顔面および手の甲の肌分析装置１はサンプルを提供するサンプル提供モジュールをさらに含んで、使用者Ｕがサンプル提供モジュールから推薦化粧品を提供してもらうことができる。さらに、使用者Ｕはサンプル提供モジュールでサンプルを購入できるだけでなく、無人顔面および手の甲の肌分析装置１で推薦化粧品を決済し配送先を入力することによって、推薦化粧品を配送してもらうことができる。ここで、無人顔面および手の甲の肌分析装置１は肌診断結果に含まれた推薦化粧品情報に基づいて、該当推薦化粧品の販売サイトに連結することによって、使用者Ｕが無人顔面および手の甲の肌分析装置１を通じて推薦化粧品の購入を可能にすることができる。
【００５１】
保存モジュール３５０は第１映像イメージおよび第２映像イメージのうち少なくとも一つ、第１映像イメージおよび第２映像イメージのうち少なくとも一つの肌指数、および制御モジュール３１０により演算された肌診断結果を保存することができる。ここで、保存モジュール３５０は通常の記憶媒体であって、ハードディスクドライブ（Ｈａｒｄ  Ｄｉｓｋ  Ｄｒｉｖｅ、ＨＤＤ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ（Ｆｌａｓｈ  Ｍｅｍｏｒｙ）およびメモリカード（Ｍｅｍｏｒｙ  Ｃａｒｄ）のうち一つ以上を含むことができる。
【００５２】
また、保存モジュール３５０は肌診断結課を保存する時、使用者Ｕの肌診断結果にＩＤおよび個人情報を保護するためのパスワードを含ませることによって、使用者Ｕが無人顔面および手の甲の肌分析装置１で使用者Ｕの保存された肌診断結果を呼び出すことができる。例えば、使用者Ｕが無人顔面および手の甲の肌分析装置１で肌診断を開始する時、使用者Ｕはタッチスクリーン１５０に使用者ＵのＩＤおよびパスワードを入力することによって、保存モジュール３５０に保存された肌診断結果を呼び出すことができる。この時、ＩＤおよびパスワードは肌診断が開始される前にＩＤおよびパスワードを決める通常の方式で使用者Ｕが決めることができる。
【００５３】
使用者Ｕが新しい肌診断を進行することによって、無人顔面および手の甲の肌分析装置１は、使用者Ｕの新しい肌診断結果および使用者Ｕの既に保存された肌診断結果と使用者Ｕの新しい肌診断結果の比較情報を肌診断結果に含ませることができる。ただし、使用者ＵはＩＤおよびパスワードを入力せずに肌診断を進行することができる。
【００５４】
通信モジュール３６０は肌診断結課を有線／無線ネットワークを通じて使用者Ｕのモバイル端末、Ｅメール、ＳＭＳ、およびＳＮＳのうち少なくとも一つに伝送することができる。ここで、通信方法はイーサネット、ＷＩＦＩ、ＬＴＥ、３ｇ、４ｇ、５ｇなど、業界で通用される通信方法であり得る。
【００５５】
通信モジュール３６０は無線ネットワークを通じて少なくとも一つの無人顔面および手の甲の肌分析装置１を連結して同期化させることができる。例えば、使用者Ｕは第１無人顔面および手の甲の肌分析装置１で施行した肌診断に対する肌診断結課を、第２無人顔面および手の甲の肌分析装置１や第３無人顔面および手の甲の肌分析装置１のように、第１無人顔面および手の甲の肌分析装置１と異なる無人顔面および手の甲の肌分析装置１で使用者ＵのＩＤおよびパスワードを入力することによって、第１無人顔面および手の甲の肌分析装置１に保存された肌診断結果を呼び出すことができる。また、使用者Ｕは無人顔面および手の甲の肌分析装置１と連結されたアプリケーションにおいても肌診断結課を確認することができる。
【００５６】
一実施例に係る無人顔面および手の甲の肌分析装置１は、専門家が助けることなく使用者Ｕが一人で顔面を撮影して肌診断ができる装置であり得る。
【００５７】
例えば、タッチスクリーン１５０の「肌診断開始」と書かれた部分をタッチすると、肌診断が開始され得、使用者Ｕはタッチスクリーン１５０に表示された「顔肌診断」、「手肌診断」、および「顔＋手肌診断」の三つの文句のうち一つを選択することができる。使用者Ｕが「顔肌診断」を選択した場合、タッチスクリーン１５０に「画面に顔が出るようにカメラを見つめてください。」という文句が表示され得、使用者Ｕは第１肌測定モジュール１３０により顔面を撮影することができ、第１肌測定モジュール１３０から撮影された第１映像イメージに基づいて肌診断結課を提供してもらうことができる。ただし、無人顔面および手の甲の肌分析装置１の肌診断進行方式は前記の例示に限定されない。
【００５８】
無人顔面および手の甲の肌分析装置１はキオスク１１０のタッチスクリーン１５０を通じて入力信号によって肌診断を進行することができ、タッチスクリーン１５０で肌診断進行過程が確認され得る。また、第１肌測定モジュール１３０から撮影された第１映像イメージおよび第２肌測定モジュール１４０から撮影された第２映像イメージのうち少なくとも一つは、タッチスクリーン１５０で確認され得る。この時、タッチスクリーン１５０の画面に見える第１映像イメージや第２映像イメージは停止したイメージであり得、第１肌測定モジュール１３０や第２肌測定モジュール１４０から撮影されているリアルタイム動映像の画面であり得る。
【００５９】
図４は他の実施例により第３肌測定モジュール５１０を含む無人顔面および手の甲の肌分析装置１の外部を図示した図面であり、図５は他の実施例により第３肌測定モジュール５１０を含む無人顔面および手の甲の肌分析装置１の構成を例示した図面である。
【００６０】
図４および図５を参照すると、他の実施例に係る無人顔面および手の甲の肌分析装置１は、第３照明モジュール５１３と第３カメラモジュール５１１を含んだ第３肌測定モジュール５１０をさらに含むことができる。
【００６１】
第３肌測定モジュール５１０は、使用者Ｕの首に光を照射する第３照明モジュール５１３および使用者Ｕの首を撮影する第３カメラモジュール５１１のうち少なくとも一つを含むことができる。ただし、第３肌測定モジュール５１０は主に使用者Ｕの首の肌状態を測定するものとして例示したが、第３肌測定モジュール５１０を通じて使用者Ｕの顔面、首、耳、および首の後ろのうち少なくとも一つを含んだ身体部位の肌状態を測定することができる。
【００６２】
第３カメラモジュール５１１はキオスク１１０の前面部でタッチスクリーン１５０より上端またはタッチスクリーン１５０より下端に位置し得、使用者Ｕの顔面、首、耳、および首の後ろのうち少なくとも一つを含んだ部位を撮影することができる。ここで、第３カメラモジュール５１１に含まれた第３カメラは業界で通用される撮影装置、ビデオカメラ、およびＤＳＬＲ（Ｄｉｇｉｔａｌ  Ｓｉｎｇｌｅ  Ｌｅｎｓ  Ｒｅｆｌｅｘ）のうち一つであり得るが、本明細書で言及されたカメラに限定されず通常的に映像を撮影できる機器であればよい。
【００６３】
第３照明モジュール５１３は第３カメラモジュール５１１に含まれた第３カメラの周りに左右対称の形態で位置し得、使用者Ｕの顔面、首、耳、および首の後ろのうち少なくとも一つを含んだ部位に光を照射することができる。ここで、第３照明モジュール５１３はＬＥＤモジュールであり得、第３照明モジュール５１３は一般光、偏光、およびＵＶ光のうち少なくとも一つの光を順次照射することができる。
【００６４】
他の実施例に係る無人顔面および手の甲の肌分析装置１は第３肌測定モジュール５１０から撮影された第３映像イメージの首のしわ指数を測定し、首のしわ指数に基づいて制御モジュール３１０で使用者Ｕの肌年齢を導き出すことによって、肌診断結果は使用者Ｕの肌年齢を含むことができる。
【００６５】
この時、他の実施例に係る無人顔面および手の甲の肌分析装置１の肌指数は首のしわ指数に限定されず、毛穴指数、弾力度、油水分の含量、油水分バランス度、および肌のトーンが含まれ得る。
【００６６】
また、一実施例により保存モジュール３５０で第１映像イメージおよび第２映像イメージのうち少なくとも一つ、第１映像イメージおよび第２映像イメージのうち少なくとも一つの肌指数、および制御モジュール３１０により演算された肌診断結果を保存するのと同様に、第３映像イメージ、第３映像イメージの少なくとも一つの肌指数、および制御モジュール３１０により演算された肌診断結課を保存モジュール３５０で保存することができる。
【００６７】
無人顔面および手の甲の肌分析装置１は、第１肌測定モジュール１３０により撮影された顔面を含んだ第１映像イメージ、第２肌測定モジュール１４０により撮影された手を含んだ第２映像イメージ、および第３肌測定モジュール５１０により撮影された首を含んだ第３映像イメージを同時に考慮することによって、使用者Ｕの顔面、手、および首の肌状態を比較して診断することができる。
【００６８】
例えば、無人顔面および手の甲の肌分析装置１は、使用者Ｕの顔面、手、および首のしわの状態による各部位の肌のシワ指数を、無人顔面および手の甲の肌分析装置１のデータベースに保存されている年齢帯別肌のシワ指数の平均値と比較することによって、使用者Ｕの顔面、手、および首の肌年齢を導き出すことができる。
【００６９】
この時、無人顔面および手の甲の肌分析装置１は使用者Ｕの実際の年齢と使用者Ｕの顔面、手、および首のそれぞれの肌年齢を比較することによって、使用者Ｕの実際の年齢より肌年齢が多く出た部位に対する措置および肌管理方法を肌診断結果に含むことができる。また、無人顔面および手の甲の肌分析装置１は使用者Ｕの実際の年齢にかかわらず、使用者Ｕの顔面、手、および首のそれぞれの肌年齢を比較することによって、相対的に肌年齢が多い少なくとも一つの部位に対する措置および肌管理方法を肌診断結果に含むことができる。例えば、措置が必要であると出た少なくとも一つの部位に弾力専用の機能性製品、保湿力が高い製品、紫外線遮断剤のようなシワおよび肌の老化を遅らせる製品を塗ることを使用者に推薦することができる。
【００７０】
ただし、使用者Ｕの顔面、手、および首のそれぞれの肌年齢が使用者Ｕの実際の年齢より少ない場合、追加された措置方法を提案せず、導き出された肌年齢に適合な肌管理方法を肌診断結果に含むことができる。
【００７１】
ただし、第１映像イメージ、第２映像イメージ、および第３映像イメージを同時に考慮して使用者Ｕの顔面、手、および首の肌状態を比較して診断する例示として、肌のシワ状態に関してのみ例示したが、無人顔面および手の甲の肌分析装置１は肌のトーン、毛穴状態、油水分量、および色素沈着のうち少なくとも一つを含む使用者Ｕの顔面、手、および首の肌状態を比較して診断することができる。
【００７２】
以上、本発明に係る実施例が説明されたが、これは例示的なものに過ぎず、いかなる方法でも本発明の範囲を限定するものではない。当該分野で通常的な知識を有する者であれば、これから多様な変形および均等な範囲の実施例が可能であることが理解できるであろう。したがって、本発明の真の技術的保護範囲は次の特許請求の範囲によって定められるべきである。
【図１】
2021524367.tif 000003
【図２】
2021524367.tif 000004
【図３】
2021524367.tif 000005
【図４】
2021524367.tif 000006
【図５】
2021524367.tif 000007
【国際調査報告】
2021524367.tif 000008
2021524367.tif 000009
2021524367.tif 000010
2021524367.tif 000011